(57)【要約】【解決課題】カード型記憶媒体を多数保管しておくことが可能な手段を提供すること。【解決手段】下側ケース部材の上に、上側ケース部材を合わせることにより、内部にカード型記憶媒体を収納するための収納ケース部となる下側ケース部材及び上側ケース部材を有し、該収納ケース部の第三辺側には、長手方向に延びる第一張り出し部材が付設され、且つ、該収納ケース部の第四辺側には、長手方向に延びる第二張り出し部材が付設されていること、を特徴とするカード型記憶媒体の収納ケース。【選択図】図１
2011191853.tif 000002
【特許請求の範囲】
【請求項１】
下側ケース部材の上に、上側ケース部材を合わせることにより、内部にカード型記憶媒体を収納するための収納ケース部となる下側ケース部材及び上側ケース部材を有し、
該収納ケース部の平面形状が、略長方形又は略正方形であり、
該上側ケース部材が開閉自在となるように、該収納ケース部の第一辺側で、上側ケース部材と下側ケース部材とが連結しており、
該上側ケース部材と該下側ケース部材には、該上側ケース部材を該下側ケース部材に合わせたときに、該上側ケース部材と該下側ケース部材とを固定するための固定手段が設けられており、
該収納ケース部の第三辺側には、長手方向に延びる第一張り出し部材が付設され、且つ、該収納ケース部の第四辺側には、長手方向に延びる第二張り出し部材が付設されていること、
を特徴とするカード型記憶媒体の収納ケース。
【請求項２】
前記下側ケース部材の底面には、カード型記憶媒体を把持するための把持部材が付設されていることを特徴とする請求項１記載のカード型記憶媒体の収納ケース。
【請求項３】
前記把持部材の内側の前記下側ケース部材の底面には、突起部材が付設されていることを特徴とする請求項２記載のカード型記憶媒体の収納ケース。
【発明の詳細な説明】
【技術分野】
【０００１】
本発明は、ＳＤメモリーカード、マルチメディアカード（ＭＭＣ）等のカード型の記憶媒体を収納するためのカード型記憶媒体の収納ケースに関するものである。
【背景技術】
【０００２】
デジタルカメラ、デジタルビデオカメラ、携帯電話、携帯用音楽プレーヤー、ノート型パソコン等の携帯可能な電子機器の記憶媒体として、ＳＤメモリーカード、マルチメディアカード（ＭＭＣ）等のカード型の記憶媒体が用いられている。
【０００３】
そして、次々に多数のデータを、多数のカード型記憶媒体に保存する場合、データが保存された多数のカード型記憶媒体を、順序良く整理して保管しておく必要がある。
【０００４】
多数のカード型記憶媒体を保管しておく手段としては、例えば、特開２００１−５６８４３号公報（特許文献１）に、メモリカード、メモリカード用の保護ケース及びメモリカード入り保護ケースを被収納体とするメモリカード収納具において、共通の底板と、前記底板に沿って列をなすように並べられ、かつ前記被収納体を、その一部を露出させた状態で１つずつ収納する複数のカード収納部と、前記複数のカード収納部が、互いに離間し、かつ前記底板に対して略同一角度で傾斜する第１傾斜状態と、底板に沿って互いに重なり合う第２傾斜状態との間で傾きを変え得るように、各カード収納部を底板に曲げ可能に接続する複数の接続部とを備えることを特徴とするメモリカード収納具が開示されている。
【０００５】
また、特開２００７−１２８２６４号公報（特許文献２）には、外装と、複数のメモリカードを収納可能な前記外装内の収納部と、収納された前記メモリカードと電気的に接続し、かつ前記メモリカードを前記収納部内で把持する電気接続部と、前記電気接続部を前記収納部で支持する支持部材とを備えたメモリカードケースであって、前記電気接続部が前記メモリカードを把持する部位において、前記支持部材及び前記電気接続部の両面は、前記外装の内面から離間しており、前記支持部材の長手方向の両端部が、前記外装の対向する側壁に結合されていることを特徴とするメモリカードケースが開示されている。
【先行技術文献】
【特許文献】
【０００６】
【特許文献１】特開２００１−５６８４３号公報（特許請求の範囲、図１、図２）
【特許文献２】特開２００７−１２８２６４号公報（特許請求の範囲、図８）
【発明の概要】
【発明が解決しようとする課題】
【０００７】
ところが、特許文献１に開示されているメモリカードの保護ケースでは、カード型記憶媒体の保護が不十分であるため、メモリカードが破損するおそれがあった。
【０００８】
また、特許文献２に開示されているメモリカードケースでは、メモリカードが、カードケース内の収納部で把持されるため、メモリカードの破損のおそれはないが、メモリカードの保管数に制限があり、多数のメモリカードを保管することはできなかった。
【０００９】
従って、本発明の課題は、カード型記憶媒体を多数保管しておくことが可能な手段を開発することにある。
【課題を解決するための手段】
【００１０】
このような目的は、以下の本発明により達成される。
すなわち、本発明は、下側ケース部材の上に、上側ケース部材を合わせることにより、内部にカード型記憶媒体を収納するための収納ケース部となる下側ケース部材及び上側ケース部材を有し、
該収納ケース部の平面形状が、略長方形又は略正方形であり、
該上側ケース部材が開閉自在となるように、該収納ケース部の第一辺側で、上側ケース部材と下側ケース部材とが連結しており、
該上側ケース部材と該下側ケース部材には、該上側ケース部材を該下側ケース部材に合わせたときに、該上側ケース部材と該下側ケース部材とを固定するための固定手段が設けられており、
該収納ケース部の第三辺側には、長手方向に延びる第一張り出し部材が付設され、且つ、該収納ケース部の第四辺側には、長手方向に延びる第二張り出し部材が付設されていること、
を特徴とするカード型記憶媒体の収納ケースを提供するものである。
【発明の効果】
【００１１】
本発明によれば、カード型記憶媒体を多数保管しておくことが可能なカード型記憶媒体の収納ケースを提供することができる。
【図面の簡単な説明】
【００１２】
【図１】本発明のカード型記記憶媒体の収納ケースの模式的な平面図である。
【図２】図１中のカード型記憶媒体の収納ケースの側面図である。
【図３】図１中のカード型記憶媒体の収納ケースをｘ−ｘ線で切ったときの断面図である。
【図４】図１中のカード型記憶媒体の収納ケースの上側ケース部材を開閉する様子を示す斜視図である。
【図５】図１中のカード型記憶媒体の上側ケース部材を閉じた状態を示す図である。
【図６】把持部材及び突起部材を説明するための模式的な図であり、把持部材にＳＤメモリーカードが把持される様子を示す模式的な斜視図である。
【図７】把持部材にＳＤメモリーカードが把持されている状態を示す模式的な平面図である。
【図８】図７中のｙ−ｙ線で切ったときの断面図である。
【図９】図７中のｚ−ｚ線で切ったときの断面図である。
【図１０】カード型記憶媒体の収納ケース１の使用方法を示す模式的な平面図である。
【図１１】カード型記憶媒体の収納ケース１の使用方法を示す模式的な斜視図である。
【図１２】図１０中のシート側張り出し部の近傍の拡大図である。
【発明を実施するための形態】
【００１３】
本発明のカード型記憶媒体の収納ケースについて、図１〜図５を参照して説明する。図１は、本発明のカード型記記憶媒体の収納ケースの模式的な平面図であり、収納ケースの上側ケース部材を１８０°開けた状態を示す図である。図２は、図１中のカード型記憶媒体の収納ケースの側面図である。図３は、図１中のカード型記憶媒体の収納ケースをｘ−ｘ線で切ったときの断面図である。図４は、図１中のカード型記憶媒体の収納ケースの上側ケース部材を開閉する様子を示す斜視図である。図５は、図１中のカード型記憶媒体の上側ケース部材を閉じた状態を示す図であり、図５中、（Ａ）が平面図、（Ｂ）が左側面図、（Ｃ）が底面図、（Ｄ）が正面図、（Ｅ）が背面図である。
【００１４】
図１〜図３に示すように、カード型記憶媒体の収納ケース１は、下側ケース部材２と、下側ケース部材２の上に合わさる上側ケース部材１１とを有する。この下側ケース部材２は、底面４と、底面４の周囲に形成される側壁である下側ケース部材の第一側壁５、第二側壁６、第三側壁７及び第四側壁８と、からなる。また、上側ケース部材１１は、上面１１１と、上面１１１の周囲に形成される側壁である上側ケース部材の第一側壁１２、第二側壁１３、第三側壁１４及び第四側壁１５と、からなる。
【００１５】
そして、下側ケース部材２を、上側ケース部材１１に合わせることにより、つまり、下側ケース部材２と上側ケース部材１１の側壁同士を重ね合わせることにより、内部にカード型記憶媒体を保管するための収納ケース部となる。
【００１６】
下側ケース部材２及び上側ケース部材１１の平面形状、すなわち、下側ケース部材２及び上側ケース部材１１を平面視したとき（図２において、上側から見たとき）の下側ケース部材２及び上側ケース部材１１の外形は、略長方形又は略正方形である。言い換えると、平面視したときの収納ケース部の外形は、略長方形又は略正方形である。
【００１７】
上側ケース部材の第一側壁１２と下側ケース部材の第一側壁５とは、連結部１８で繋がっている。このとき、図４に示すように、上側ケース部材１１が、開閉自在となるように、連結部１８で、上側ケース部材１１と下側ケース部材２とが繋がっている。なお、図１に示す形態例は、板状の連結部で、上側ケース部材と下側ケース部材とが連結されている形態例であるが、本発明では、上側ケース部材と下側ケース部材との連結形態は、これに限定されず、上側ケース部材が開閉自在となるように、上側ケース部材と下側ケース部材とが連結されていればよい。また、本発明において、上側ケース部材１１と下側ケース部材２とを繋ぐ連結部が設けられている側の側壁を第一側壁と呼ぶ。
【００１８】
上側ケース部材の第一側壁１２の反対側である上側ケース部材の第二側壁１３側及び下側ケース部材の第一側壁５の反対側である上側ケース部材の第二側壁６側には、上側ケース部材１１を下側ケース部材２に合わせて閉じたときに、上側ケース部材１１が開かないように、上側ケース部材１１と下側ケース部材２とを固定するために、下側ケース部材２には固定部材１６が付設されており、且つ、上側ケース部材１１には固定部材１６が嵌め込まれる嵌め込み部１７が形成されている。そして、図５中に示すように、上側ケース部材１１を閉じた状態、すなわち、下側ケース部材２の上に上側ケース部材１１を合わせて、すなわち、下側ケース部材２と上側ケース部材１１の側壁同士を重ね合わせた状態で、固定部材１６の嵌め込み口１６１が、嵌め込み部１７に嵌め込まれることにより、上側ケース部材１１と下側ケース部材２とが固定される。なお、図１に示す形態例は、下側ケース部材２に固定部材１６を付設し、それを上側ケース部材１１に形成されている嵌め込み部１７に嵌め込むことにより、上側ケース部材１１と下側ケース部材２とが固定される形態例であるが、本発明では、上側ケース部材と下側ケース部材とを固定できる形態であれば、固定手段としては、特に制限されない。また、本発明において、第一側壁の反対側とは、上側ケース部材又は下側ケース部材を平面視したときに、長方形又は正方形の中心に対して第一側壁の反対側という意味である。
【００１９】
下側ケース部材の第三側壁７には、第一張り出し部材９が付設されている。第一張り出し部材９は、平面視したときに、下側ケース部材２の外縁から外に向かって張り出しており、且つ、第三側壁７の長手方向に延びている。また、下側ケース部材の第四側壁８には、第二張り出し部材１０が付設されている。第二張り出し部材１０は、平面視したときに、下側ケース部材２の外縁から外に向かって張り出しており、且つ、第四側壁８の長手方向に延びている。つまり、下側ケース部材２の上に上側ケース部材１１を合わせた状態の収納ケース部を平面視したときに、収納ケース部の外縁から外に向かって、第一張り出し部材９及び第二張り出し部材１０が張り出している。なお、本発明において、下側ケース部材２の第三側壁及び第四側壁とは、下側ケース部材を平面視したときに、第一側壁及び第二側壁と略垂直な長方形又は正方形の２つの辺であり、第四側壁は、長方形又は正方形の中心に対して第三側壁の反対側に位置する。
【００２０】
図１に示す形態例は、第一張り出し部材９及び第二張り出し部材１０が、カード型記憶媒体の収納ケース１の収納ケース部の側壁の短手方向（長手方向に垂直な方向）の最下部に付設される形態例であるが、本発明では、第一張り出し部材及び第二張り出し部材が付設される収納ケース部の短手方向の位置（図２中、上下方向の位置）は、後述する収納ケースホルダーシートの形状により、適宜選択される。
【００２１】
カード型記憶媒体の収納ケース１では、下側ケース部材２の底面４に、カード型記憶媒体を把持するための把持部材２１が付設されている。また、下側ケース部材２を平面視したときに、把持部材２１の内側には、突起部材２２が付設されている。把持部材及び突起部材について、図６〜図９を参照して説明する。図６は、把持部材及び突起部材を説明するための模式的な図であり、把持部材にＳＤメモリーカードが把持される様子を示す模式的な斜視図である。図７は、把持部材にＳＤメモリーカードが把持されている状態を示す模式的な断面図である。図８は、図７中のｙ−ｙ線で切ったときの断面図である。図９は、図７中のｚ−ｚ線で切ったときの断面図であり、図９中（Ａ）は、ＳＤメモリーカードが把持部材に把持されている状態を示す図であり、また、図９中（Ｂ）は、ＳＤメモリーカーが把持部材から外れた状態を示す図である。なお、図６〜図９では、把持部材及び突起部材と、把持部材に把持されるＳＤメモリーカードのみを示している。
【００２２】
図６〜図９に示すように、把持部材２１（２１ａ、２１ｂ、２１ｃ）は、下側ケース部材２の底面４に付設されている。そして、把持部材２１の壁面の内側の形状、すなわち、ＳＤメモリーカード３０を把持する側の壁面の形状は、把持するＳＤメモリーカード３０の外形に合わせて、ＳＤメモリーカード３０を把持できるような形状である。なお、本発明では、把持部材の形状は、把持するカード型記憶媒体の外形により、適宜選択される。
【００２３】
把持部材２１の壁面のうち、ＳＤメモリーカード３０側の壁面には、ＳＤメモリーカード３０の把持力を高めるために、ＳＤメモリーカード３０と接触する凸部が形成されていてもよい。
【００２４】
突起部材２２（２２ａ、２２ｂ）は、把持部材２１の内側の下側ケース部材２の底面４に付設されている。なお、本発明において、把持部材の内側とは、下側ケース部材を平面視したときに、把持部材の内側という意味である。そして、図９に示すように、把持部材２１に把持されているＳＤメモリーカード３０の一端２５付近を、上から指で押し込むことにより（図９中（Ａ））、てこの原理により、突起部材２２ａが支点、ＳＤメモリカード３０の一端２５付近が力点となって、ＳＤメモリーカードの反対側の一端２６側が、把持部材２１から外れる（図９中（Ｂ））。
【００２５】
図１に示す形態例では、把持部材２２に把持されているＳＤメモリーカード３０の一端２５付近を、指で押し込み易くするために、押し込み位置近傍には、把持部材２２が付設されていない。なお、本発明では、このような把持部材の未付設部分がなくとも、突起部材の付設位置により、てこの原理でＳＤメモリーカード３０を把持部材２２から外すことができる形態例であれば、あるいは、ＳＤメモリーカード３０を、２本の指で両側から挟んで、把持部材２２から外す形態例であれば、押し込み位置近傍にも把持部材が付設されていてもよい。
【００２６】
図１に示す形態例では、ＳＤメモリーカード３０を、２本の指で両側から挟んで、把持部材２２から外せるように、ＳＤメモリーカード３０の両側の２本の指で挟む位置近傍には、把持部材２２は付設されていない。なお、このような把持部材の未付設部分がなくとも、てこの原理でＳＤメモリーカード３０を把持部材２２から外すことができる形態例であれば、図１中の２本の指で挟む位置近傍にも把持部材が付設されていてもよい。
【００２７】
なお、把持部材の高さ（図８の上下方向の長さ）及び突起部材の高さ（図８の上下方向の長さ）は、把持されるカード型記憶媒体の厚み及びカード型記憶媒体の収納ケースの厚みにより、適宜選択される。
【００２８】
図１に示す形態例は、把持部材が、下側ケース部材の底面に付設されている形態例であるが、本発明では、把持部材が付設されていなくてもよい。また、図１に示す形態例は、突起部材が、下側ケース部材の底面に付設されている形態例であるが、本発明では、突起部材が付設されていなくてもよい。
【００２９】
次に、カード型記憶媒体の収容ケース１の使用方法について、図１０〜図１２を参照して説明する。図１０は、カード型記憶媒体の収納ケース１の使用方法を示す模式的な平面図である。図１１は、カード型記憶媒体の収納ケース１の使用方法を示す模式的な斜視図である。図１２は、図１０中のシート側張り出し部近傍の拡大図である。
【００３０】
図１０中、収納ケースホルダーシート３１は、カード型記憶媒体の収納ケース１を多数保管するためのシートであり、ひとつながりのシートが立体加工されたものである。収納ケースホルダーシート３１には、区画壁３２（３２ａ、３２ｂ）が形成されており、区画壁３２により、各カード型記憶媒体の収納ケース１が保管される保管場所３６が、区画されている。
【００３１】
区画壁３２のうち、横方向の区画壁３２ａには、保管場所３６の内に向かって張り出すようにして、区画壁３２ａの長手方向に延びるシート側張り出し部３３が、形成されている。このシート側張り出し部３３は、各保管場所３６の上側の側壁３２ａと下側の側壁３２ａの両方に形成されている。
【００３２】
そして、保管場所３６に対して横側から、カード型記憶媒体の収納ケース１を入れていき（図１０中、最上段の保管場所に示す状態）、次いで、更に、カード型記憶媒体の収納ケース１を横にずらし、シート側張り出し部３３と保管場所３６の底面３８との間３４に、カード型記憶媒体の収納ケース１の第一張り出し部材９及び第二張り出し部材１０を差し込み（図１０中、２段目の保管場所に示す状態）、次いで、カード型記憶媒体の収納ケース１を更に横にずらして、カード型記憶媒体の収納ケース１を、保管場所３６内に完全に収める（図１０中、３段目の保管場所に示す状態）。
【００３３】
また、区画壁３２のうち、縦方向の区画壁３２ａには、凹み部３５が形成されている。凹み部３５は、カード型記憶媒体の収納ケース１が、保管場所３６に収められた状態で、固定部材１６を外すし易くするために形成されている。
【００３４】
図１０に示す収納ケースホルダーシートの形態例では、収納ケースホルダーシートの区画壁のうち、横方向の区画壁に、シート側張り出し部が形成されているが、例えば、収納ケースホルダーシートの区画壁のうち、縦方向の区画壁に、シート側張り出し部が形成されている収納ケースホルダーシートを用いれば、カード型記憶媒体の収納ケース１を、保管場所に、上から下に向かって入れるようにして、保管することもできる。
【００３５】
収納ケースホルダーシート３１には、バインダー用穴３７が設けられているので、収納ケースホルダーシート３１に、カード型記憶媒体の収納ケース１を収めた状態で、収納ケースホルダーシート３１をバインダーに綴じることができる。
【００３６】
すなわち、本発明のカード型記憶媒体の収納ケースは、下側ケース部材の上に、上側ケース部材を合わせることにより、内部にカード型記憶媒体を収納するための収納ケース部となる下側ケース部材及び上側ケース部材を有し、
該収納ケース部の平面形状が、略長方形又は略正方形であり、
該上側ケース部材が開閉自在となるように、該収納ケース部の第一辺側で、上側ケース部材と下側ケース部材とが連結しており、
該上側ケース部材と該下側ケース部材には、該上側ケース部材を該下側ケース部材に合わせたときに、該上側ケース部材と該下側ケース部材とを固定するための固定手段が設けられており、
該収納ケース部の第三辺側には、長手方向に延びる第一張り出し部材が付設され、且つ、該収納ケース部の第四辺側には、長手方向に延びる第二張り出し部材が付設されていること、
を特徴とするカード型記憶媒体の収納ケースである。
【００３７】
なお、収納ケース部の第一辺とは、下側ケース部材の上に上側ケース部材を合わせた状態、すなわち、上側ケース部材を閉じた状態で平面視したときに、上側ケース部材と下側ケース部材とが連結されている側の長方形又は正方形の辺を指し、図１に示す形態例では、第一側壁側の辺を指す。また、収納ケース部の第二辺とは、下側ケース部材の上に上側ケース部材を合わせた状態で平面視したときに、長方形又は正方形の中心に対して、収納ケース部の第一辺とは反対側の長方形又は正方形の辺を指し、図１に示す形態例では、第二側壁側の辺を指す。また、収納ケース部の第三辺及び第四辺とは、下側ケース部材の上に上側ケース部材を合わせた状態で平面視したときに、収納ケース部の第一辺及び第二辺に略垂直な長方形又は正方形の２辺を指し、図１に示す形態例では、第三側壁側の辺及び第四側壁側の辺を指す。
【００３８】
下側ケース部材及び上側ケース部材の形態は、下側ケース部材の上に、上側ケース部材を合わせることにより、内部にカード型記憶媒体を収納するためのカード型記憶媒体の収納ケース部となるような、下側ケース部材と上側ケース部材の組み合わせであれば、特に制限されない。下側ケース部材と上側ケース部材の組み合わせとしては、例えば、図１に示す形態例のように、下側ケース部材及び上側ケース部材のいずれに側壁が形成されている形態例が挙げられ、この形態例では、下側ケース部材に形成されている側壁と上側ケース部材に形成されている側壁とが合わさることにより、収納ケース部の側壁となる。また、他の下側ケース部材及び上側ケース部材の組み合わせの形態例としては、下側ケース部材にのみ、収納ケース部の側壁となる側壁が形成されている形態例や、下側ケース部材に収納ケース部の側壁のうちの２つの側壁が形成されており且つ上側ケース部材に収納ケース部の側壁のうちの他の２つの側壁が形成されている形態例等が挙げられる。また、下側ケース部材と上側ケース部材とが合わさる部位及びその形状は、図１に示す形態例では、下側ケース部材及び上側ケース部材の底面及び上面に平行な側壁の面同士が重ね合わさるような形状であるが、本発明では、下側ケース部材と上側ケース部材とが合わさる部位の形状は、特に制限されず、例えば、上側ケース部材の側壁の内側に、下側ケース部材の側壁の全部又は一部が嵌り込むようにして、下側ケース部材及び上側ケース部材の底面及び上面に垂直な側壁の面同士が重なり合うような形状や、下側ケース部材及び上側ケース部材の底面及び上面が咬み合わさる形状等が挙げられる。
【００３９】
下側ケース部材の上に上側ケース部材を合わせた状態での収納ケース部の平面形状は、略長方形又は略正方形であり、図１に示す形態例では、長方形又は正方形の角に相当する部分が丸く、いわゆる面取りされた形状となっているが、角が直角のままでもよい。
【００４０】
収納ケース部の厚み（図５（Ｂ）中、符号ｔで示す長さ）は、内部に収納されるカード型記憶媒体の厚みにより、適宜選択されるが、通常、６．５〜９．５ｍｍ、好ましくは６．９〜８．９ｍｍ、特に好ましくは７．４〜８．４ｍｍである。
【００４１】
収納ケース部の材質は、特に制限されず、例えば、ナイロン樹脂、ポリプロピレン樹脂等が挙げられ、ポリプロピレン帯電防止樹脂（ＢＣ０３ＢＳ）が静電気の帯電を防止できるので、カード型記憶媒体内のデータが静電気により失われるのを防止できる点で好ましい。
【００４２】
第一張り出し部材は、収納ケース部の第三辺側の側壁の長手方向の全体に亘って付設されていても、あるいは、第三辺側の側壁の長手方向の一部に付設されていてもよい。同様に、第二張り出し部材は、収納ケース部の第四辺側の側壁の長手方向の全体に亘って付設されていても、あるいは、第四辺側の側壁の長手方向の一部に付設されていてもよい。
【００４３】
そして、第一張り出し部材及び第二張り出し部材が、収納ケース部の第三辺側の側壁及び第四辺側の側壁の長手方向の一部に付設されていて、収納ケース部の第一辺側近傍の第三辺側の側壁及び第四辺側の側壁には付設されていないこと、あるいは、第一張り出し部材及び第二張り出し部材が、収納ケース部の第三辺側の側壁及び第四辺側の側壁の長手方向の一部に付設されていて、収納ケース部の第二辺側近傍の第三辺側の側壁及び第四辺側の側壁には付設されていないことが、本発明のカード型記憶媒体の収納ケースを、収納ケースホルダーシートの保管場所に収納する際及び保管場所から出す際に、２本の指で、カード型記憶媒体の収納ケースをつかみ易くなる点で好ましい。なお、図１に示す形態例は、第一張り出し部材及び第二張り出し部材が、収納ケース部の第三辺側の側壁及び第四辺側の側壁の長手方向の一部に付設されていて、収納ケース部の第二辺側近傍の第三辺側の側壁及び第四辺側の側壁には付設されていない形態例である。
【００４４】
第一張り出し部材及び第二張り出し部材の長手方向の一端が、平面視したときに、長手方向に対して傾斜した形状であることが、本発明のカード型記憶媒体の収納ケースが、収納ケースホルダーシートの保管場所に収納されているときに、安定する点で好ましい。
【００４５】
第一張り出し部材の短手方向の長さ（図５（Ａ）中、符号ｗ１で示す長さ）、すなわち、収納ケース部の外縁から張り出している第一張り出し部材の長さは、収納ケースホルダーシートに形成されているシート側張り出し部の区画壁から張り出している長さにより、適宜選択されるが、通常、３．０〜５．０ｍｍ、好ましくは３．５〜４．０ｍｍである。第二張り出し部材の短手方向の長さ（図５（Ａ）中、符号ｗ２で示す長さ）、すなわち、収納ケース部の外縁から張り出している第二張り出し部材の長さは、収納ケースホルダーシートに形成されているシート側張り出し部の区画壁から張り出している長さにより、適宜選択されるが、通常、３．０〜５．０ｍｍ、好ましくは３．５〜４．０ｍｍである。
【００４６】
第一張り出し部材及び第二張り出し部材の厚みは、収納ケースホルダーシートにより、適宜選択される。
【００４７】
本発明のカード型記憶媒体の収納ケースでは、収納ケース部の第三辺側の側壁及び第四辺側の側壁に、第一張り出し部材及び第二張り出し部材が付設されていればよい。そして、本発明のカード型記憶媒体の収納ケースのうち、下側ケース部材に、第一張り出し部材及び第二張り出し部材が付設されていることが、図１０に示すように、シート側張り出し部３３との共同作用により、収納ケースホルダーシート３１の保管場所３６に、カード型記憶媒体の収納ケース１を収めたままで、固定部材１６を外し、上側ケース部材１１を開けて（図１０中、４段目の保管場所に示す状態）、カード型記憶媒体を取り出すことができる点で、好ましい。
【００４８】
本発明のカード型記憶媒体の収納ケースは、下側ケース部材の底面に、カード型記憶媒体を把持するための把持部材が付設されていることが、収納ケース部内で、カード型記憶媒体が動くことなく保持されるので、カード型記憶媒体が破損し難くなる点で好ましい。
【００４９】
本発明のカード型記憶媒体の収納ケースは、把持部材の内側の下側ケース部材の底面に、突起部材が付設されていることが、把持部材から、カード型記憶媒体を外し易くなる点で好ましい。また、突起部材は、カード型記憶媒体の裏面を、下側ケース部材の底面から、離間させることができるので、カード型記憶媒体の裏面に設けられている電気接続部が、下側ケース部材の底面と接触して破損するのを防ぐことができる。
【００５０】
本発明のカード型記憶媒体の収納ケース内に収納されるカード型記憶媒体は、フラッシュメモリーが内蔵されている小型のカード型記憶媒体であれば、特に制限されず、ＳＤメモリーカード、マルチメディアカード（ＭＭＣ）等が挙げられる。
【００５１】
図１０に示すようなシート状の収納ケースホルダーシートを用いて、本発明のカード型記憶媒体の収納ケースを保管することにより、多数のカード型記憶媒体を、順序よく整理して保管することができる。更に、本発明のカード型記憶媒体の収納ケースが収められているシート状の収納ケースホルダーシートを、保存箱に多数重ねて保管することができる。また、シート状の収納ケースホルダーシートに、バインダー用穴が設けられている場合は、バインダーに本発明のカード型記憶媒体の収納ケースが収められているシート状の収納ケースホルダーシートを、多数綴じることができる。そのため、本発明によれば、極めて多数のカード型記憶媒体の収納ケースを、順序良く整理して保管することができる。
【産業上の利用可能性】
【００５２】
本発明によれば、極めて多数のカード型記憶媒体の収納ケースを、順序良く整理して保管することが可能なカード型記憶媒体の収納ケースを提供することができる。
【符号の説明】
【００５３】
１          カード型記憶媒体の収納ケース
２          下側ケース部材
４          下側ケース部材の底面
５          下側ケース部材の第一側壁
６          下側ケース部材の第二側壁
７          下側ケース部材の第三側壁
８          下側ケース部材の第四側壁
９          第一張り出し部材
１０        第二張り出し部材
１１        上側ケース部材
１２        上側ケース部材の第一側壁
１３        上側ケース部材の第二側壁
１４        上側ケース部材の第三側壁
１５        上側ケース部材の第四側壁
１６        固定部材
１７        嵌め込み部
１８        連結部
２１        把持部材
２２        突起部材
２５        ＳＤメモリーカードの一端付近
２６        ＳＤメモリーカードの反対側の一端
３０        ＳＤメモリーカード
３１        収納ケースホルダーシート
３２        区画壁
３３        シート側張り出し部
３５        凹み部
３６        保管場所
３７        バインダー用穴
３８        保管場所の底面
１６１      嵌め込み口
【図１】
2011191853.tif 000003
【図２】
2011191853.tif 000004
【図３】
2011191853.tif 000005
【図４】
2011191853.tif 000006
【図５】
2011191853.tif 000007
【図６】
2011191853.tif 000008
【図７】
2011191853.tif 000009
【図８】
2011191853.tif 000010
【図９】
2011191853.tif 000011
【図１０】
2011191853.tif 000012
【図１１】
2011191853.tif 000013
【図１２】
2011191853.tif 000014